(57)【特許請求の範囲】
【請求項１】
コンテンツを取得するコンテンツ取得部と、取得した前記コンテンツを記録するコンテンツ記録部と、該コンテンツ記録部に記録されているコンテンツをネットワーク経由で複数の外部機器に送信するネットワーク送受信部と、を有するコンテンツ記録装置において、
前記コンテンツを暗号化する暗号化部を前記コンテンツ取得部と前記コンテンツ記録部との間に設けることにより前記コンテンツ記録部に暗号化された暗号化コンテンツを記録するとともに、前記コンテンツ記録装置にネットワーク接続された複数の外部機器のいずれかからコンテンツを要求された場合に、機器の機器認証を実施した後に、要求元の外部機器毎に暗号化コンテンツを送信する制御を行う複数出力制御部を有し、
前記複数の外部機器は、機器毎に暗号鍵・復号鍵を設定可能に構成され、
外部機器判定部において、前記外部機器からのコンテンツの利用実績をカウントし、累積された利用実績の高い外部機器、又は、ユーザ操作入力受信部が受信したコンテンツを視聴する外部機器の指定によりユーザ選択された外部機器、にのみ適合する暗号鍵でコンテンツを暗号化して前記コンテンツ記録部に記録しておき、
当該外部機器からコンテンツリストを要求された場合にのみ、コンテンツのリスト情報に当該コンテンツ情報を外部機器に対して送信し、当該外部機器からユーザの選択処理により当該コンテンツを要求した場合に、前記暗号化コンテンツと対応する復号鍵を当該外部機器に送信し、ユーザが当該コンテンツを視聴可能な機器を限定することを特徴とするコンテンツ記録装置。
【請求項２】
前記暗号化部における暗号化処理に応じて作成された復号鍵を暗号化コンテンツと紐づけて保存するコンテンツ復号鍵保存部を有し、前記複数出力制御部は、前記暗号化コンテンツと対応するコンテンツ復号鍵とを組にして前記要求元の外部機器に送信することを特徴とする請求項１に記載のコンテンツ記録装置。
【請求項３】
コンテンツを取得するコンテンツ取得部と、取得した前記コンテンツを記録するコンテンツ記録部と、該コンテンツ記録部に記録されているコンテンツをネットワーク経由で複数の外部機器に送信するネットワーク送受信部と、を有するコンテンツ記録装置において、
前記コンテンツを暗号化する暗号化部を前記コンテンツ取得部と前記コンテンツ記録部との間に設けることにより前記コンテンツ記録部に暗号化された暗号化コンテンツを記録するとともに、前記コンテンツ記録装置にネットワーク接続された複数の外部機器のいずれかからコンテンツを要求された場合に、機器の機器認証を実施した後に、要求元の外部機器毎に暗号化コンテンツを送信する制御を行う複数出力制御部を有し、
前記複数の外部機器は、機器毎に暗号鍵・復号鍵を設定可能に構成され、
同一コンテンツを、コンテンツの利用実績をカウントし、累積された利用実績の高い外部機器を特定する手段により、もしくはユーザが録画時に指定して選択された外部機器の暗号鍵で一旦暗号化した後に、前記暗号化部が利用されていない期間に、別の外部機器の暗号鍵で暗号化した暗号化コンテンツを作成し、複数の暗号鍵で暗号化された同一コンテンツを前記暗号化コンテンツ記録部に複数保存しておくことを特徴とするコンテンツ記録装置。
【請求項４】
前記複数出力制御部は、前記ネットワーク送受信部を介してネットワークの負荷を検出するネットワーク管理部を有しており、該ネットワーク管理部からのネットワーク負荷情報に基づいて、前記外部機器及びネットワーク上の負荷を管理することを特徴とする請求項１から３までのいずれか１項に記載のコンテンツ記録装置。
【請求項５】
前記複数出力制御部は、ネットワーク経由で接続されている前記外部機器の機器リストを有する外部機器判別部からの情報に基づいて、外部機器へのコンテンツの送信の可否を判定することを特徴とする請求項１から４までのいずれか１項に記載のコンテンツ記録装置。
【請求項６】
前記暗号化コンテンツ記録部に記録されている暗号化されたコンテンツの暗号に対して、ある一定の時間が経過すると、再度別の暗号鍵を生成し、コンテンツの暗号化を再実行する再暗号化機能を有することを特徴とする請求項１から５までのいずれか１項に記載のコンテンツ記録装置。
【発明の詳細な説明】
【技術分野】
【０００１】
本発明は、テレビジョン放送などの番組等のコンテンツを記録し、記録したコンテンツの同時配信を行うこともできるコンテンツ記録装置に関する。
【背景技術】
【０００２】
現在、放送番組を中心としたコンテンツを記録することができる大容量のコンテンツ記録装置が利用されている。このようなコンテンツ記録装置の中には、ネットワークと接続され、他の外部機器との間でコンテンツのやり取りを行うことができるようになっているものもある。
【０００３】
図８は、現在実用化されているネットワーク上で送受信される暗号化コンテンツを扱うハードディスク内蔵レコーダ(但し、記録メディアとしては、単にハードディスクだけでなく、ＤＶＤやブルーレイディスク（Ｂｌｕ−ｒａｙ：登録商標）等の光記録メディアに記録する装置が含まれていても良い。)の一構成例を示す機能ブロック図である。図８に示すハードディスクレコーダは、アンテナ１０１と、チューナー１０３と、機器内暗号化部１０５と、記録部１０７と、機器内復号化部１１１と、ネットワーク暗号化部１１５と、これと接続される機器（１）１１７ａ、機器（２）１１７ｂ、…を有している。
【０００４】
従来の機器では、チューナーやネットワークから受信したコンテンツをコンテンツ記録部に記録する際に、そのまま記録するかメーカー毎に独自の暗号化を行なっていた。外部機器からのコンテンツ要求を受けると、外部機器判別部が要求を行なった外部機器の機能を判別し、外部機器認証部がコンテンツを出力して良い外部機器であるか認証を行なう。出力しても良い機器であるかの情報は、外部から放送波やネットワークを通じて入手することもある。機器認証が正常に終了すると、コンテンツ記録部に格納された独自暗号化コンテンツは独自復号化されて通常のコンテンツに戻された後に、ホームネットワーク用の暗号化を行なうネットワーク暗号化部で暗号化されて出力される。そのため、複数機器から同時に送信要求があった場合、全ての機器にコンテンツを配信するためには、前記コンテンツの暗号化を行なうネットワーク暗号化部の能力に応じて、機器数分のネットワーク暗号化部が必要になる場合があった。
【０００５】
また、通常は暗号化部と復号化部、及び外部機器認証部はセットで１つのＬＳＩとして構成されている事が多く、複数機器への対応には複数のＬＳＩを必要とする事となり、対応する外部機器が増えるに従って数が増えてしまい、コストアップの要因となる。
【０００６】
例えば、下記特許文献１に記載の映像番組視聴装置においては、チューナーモジュールと、ネットワークインタフェースと、番組データをローカル暗号化する手段と、ローカル暗号化した番組データを記録しておき、ネットワーク上に送出する手段とを備えている。これにより、例えば番組を記録しておき、これに基づいて番組を視聴することができるとともに、視聴した番組をネットワーク経由で外部に送信することができる（図１３参照）。
【先行技術文献】
【特許文献】
【０００７】
【特許文献１】特開２００６−２７９４３３号公報
【発明の概要】
【発明が解決しようとする課題】
【０００８】
しかしながら、図１３に示すような従来のコンテンツ記録装置では、ホームネットワークに接続された複数の外部機器１１７に異なるコンテンツを同時配信する際には、機器間で使用する事を予め決めた共通鍵を用い、あるいは公開鍵と秘密鍵を使って生成された暗号鍵を用いてコンテンツの暗号化を行なう手段を設け、前記コンテンツの暗号化を行なうネットワーク暗号化部の能力に応じて、要求される機器数分だけのネットワーク暗号化部１５１ｂ、１５１ｄ、…が必要である場合があるという問題があった。外部機器数が増加すると、非常に多くのネットワーク暗号化部１１５が必要になり、コスト増が多大になる。すなわち、実際には、ネットワーク暗号化部を１つしか持たないコンテンツ記録装置の場合には、異なるコンテンツの同時配信が出来ない場合があった。
【０００９】
また、上記特許文献１に記載のコンテンツ記録装置の場合には、ネットワーク(従来技術ではローカルと記載)暗号化された番組データを記録する構成を具備しているものの、複数の外部機器から異なるコンテンツを同時配信するための仕組みに関する開示がなかった。
【００１０】
本発明は、複数の外部機器からの異なるコンテンツの同時配信に対応可能な機器を提供することを目的とする。
【課題を解決するための手段】
【００１１】
本発明に係るコンテンツ記録装置は、ネットワーク用暗号化部をコンテンツ記録部の前段に設け、ホームネットワークに接続された外部機器からコンテンツを要求された場合に、当該装置はコンテンツを要求した機器に対してコンテンツを出力して良いかどうかを調査するための機器認証を外部機器認証部が実施した後に、予めネットワーク暗号化されたコンテンツとその復号鍵を出力し、複数出力制御部により各機器への出力制御を行なうことを特徴とする。これにより、容易に複数の外部機器に異なるコンテンツを同時配信するコンテンツ記録装置が実現可能となる。
【００１２】
従来のコンテンツ記録装置では、ネットワーク暗号化手段は内部の記憶手段に保存されているコンテンツの出力を行なう際に用いられているため、同時に複数の出力を行なう場合には、ネットワーク暗号化部の能力に応じて複数のネットワーク暗号化手段が必要であったが、これを従来技術に記載の様にチューナーから記憶手段への記録時にネットワーク暗号化を行なう事により、１つのネットワーク暗号化手段で済むようにした。
【００１３】
また、従来技術では複数の機器に対して暗号化されたコンテンツを同時出力する方法が示されておらず、差別化のために機器内部の各制御部から得られた動作負荷情報とネットワーク送受信部から得られた機器外部のネットワーク負荷状況とを元に各機器への複数同時出力を制御する複数出力制御処理部を追加した。
【００１４】
さらに、上記複数出力制御処理部は暗号化コンテンツ情報処理部より得られる情報により、暗号化コンテンツの出力対象を制限する機能を有し、視聴対象機器や視聴対象ユーザを制限することが可能となる。
【００１５】
ネットワーク用暗号化部をコンテンツ記録部に記録する前段に設けたことと、外部機器認証部がネットワークに接続された機器毎の機器認証を実施し、機器間で使用する事を予め決めた共通鍵を用い、あるいは公開鍵と秘密鍵を使って生成された暗号鍵を用いてコンテンツの暗号化を行なう手段を設け、チューナーで受信したコンテンツをネットワーク暗号化した状態でコンテンツ記録部に記録し、当該コンテンツと紐付けられた複号鍵はコンテンツ複号鍵保存部に保存する。
【００１６】
外部機器認証部で管理するリストに登録されている認証済みのネットワークに接続されている外部機器からコンテンツを要求された場合、複数出力制御部が機器内部の各制御部から得られた動作負荷情報とネットワーク送受信部から得られた機器外部のネットワーク負荷状況とを元に各機器への複数同時出力制御を行ない、前記ネットワーク暗号化済みのコンテンツと対応する復号鍵(容易に解析出来ない様に暗号化されている)とを、コンテンツを要求した機器に出力することで、コンテンツ出力時に暗号化処理を行なうことなく、予めコンテンツ記録部に保存された暗号化コンテンツを容易に複数の外部機器に異なるコンテンツを同時配信するコンテンツ記録装置が実現可能となる。
【００１７】
本発明の一観点によれば、コンテンツを取得するコンテンツ取得部と、取得した前記コンテンツを記録するコンテンツ記録部と、該コンテンツ記録部に記録されているコンテンツをネットワーク経由で複数の外部機器に送信するネットワーク送受信部と、を有するコンテンツ記録装置において、前記コンテンツを暗号化する暗号化部を前記コンテンツ取得部と前記コンテンツ記録部との間に設けることにより前記コンテンツ記録部に暗号化された暗号化コンテンツを記録するとともに、前記コンテンツ記録装置にネットワーク接続された複数の外部機器のいずれかからコンテンツを要求された場合に、機器の機器認証を実施した後に、要求元の外部機器毎に前記コンテンツ記録部に記録された暗号化コンテンツを送信する制御を行う複数出力制御部を有することを特徴とするコンテンツ記録装置が提供される。これにより、複数の外部機器に異なるコンテンツを同時配信するコンテンツ記録装置が実現可能となる。従来のコンテンツ記録装置では、ネットワーク暗号化手段は内部の記憶手段に保存されているコンテンツの出力を行なう際に用いられているため、同時に複数の出力を行なう場合には、複数のネットワーク暗号化手段が必要であったが、これを従来技術に記載の様にチューナーから記憶手段への記録時にネットワーク暗号化を行なうことにより、搭載する１つもしくは複数チューナーを用いた同時録画に対応可能な数のネットワーク暗号化手段で済むようにして装置の簡単化を行っている。
【００１８】
前記暗号化部における暗号化処理に応じて作成された復号鍵を暗号化コンテンツと紐づけて保存するコンテンツ復号鍵保存部を有し、前記複数出力制御部は、前記暗号化コンテンツと対応するコンテンツ復号鍵とを組にして前記要求元の外部機器に送信することが好ましい。
【００１９】
また、本発明は、機器毎に暗号鍵・複号鍵が異なる仕組みを有する著作権管理システムとして以下のように利用できる。
１）コンテンツを、外部機器からのコンテンツ利用実績をカウントして蓄積し、最も利用頻度の高い外部機器を特定する手段、もしくは、録画時にユーザがどの外部機器で録画するコンテンツを視聴するかを指定させるユーザ操作手段により選択された外部機器のみに適合する暗号鍵で暗号化して、コンテンツ記録部に記録しておく。そして、当該機器からコンテンツリストを要求された場合のみ、コンテンツリスト情報に前記暗号化コンテンツ情報を挿入し、当該機器からしかコンテンツを選択出来ないように構成する。また、仮にコンテンツが選択出来たとしても、外部機器に対応する複号鍵が無い場合にはコンテンツを視聴出来ない。これにより、コンテンツを視聴可能な外部機器を制限することが可能となる。
【００２０】
２）コンテンツを、ユーザ操作により、例えばコンテンツを視聴するためのパスワードを設定する等の操作により、特定のユーザのみが視聴可能な状態にしておき、ユーザが使用する外部機器に適合する暗号鍵で暗号化して、コンテンツ記録部に記録しておく。そして、当該外部機器からコンテンツリストを要求され、コンテンツを視聴するユーザに適合するパスワードを受け取った場合のみコンテンツリスト情報に前記暗号化コンテンツ情報を挿入し、当該外部機器からしかコンテンツを視聴出来ないように構成する。これにより、コンテンツを視聴可能なユーザを制限することが可能となる。
【００２１】
３）同一コンテンツを、コンテンツ利用実績をカウントして蓄積し、最も利用頻度の高い外部機器を特定する手段により、もしくはユーザが録画時に指定して選択された外部機器の暗号鍵で一旦暗号化した後、ネットワーク暗号化部が利用されていない時に別の機器の暗号鍵で暗号化した暗号化コンテンツを作成し、複数の暗号鍵で暗号化された同一コンテンツを複数保存しておく。これにより、複数の外部機器に、それぞれの機器に対応する複号鍵と共にコンテンツを同時配信するコンテンツ記録装置が実現可能となる。
【００２２】
すなわち、本発明の別の観点によれば、前記複数の外部機器は、機器毎に暗号鍵・複号鍵を設定可能に構成され、外部機器判定部において、前記外部機器からのコンテンツの利用実績をカウントし、累積された利用実績の高い外部機器、又は、ユーザ操作入力受信部が受信したコンテンツを記録する外部機器の指定により選択された外部機器、にのみ適合する暗号鍵でコンテンツを暗号化しておき、当該外部機器からコンテンツリストを要求された場合にのみ、コンテンツのリスト情報に当該コンテンツ情報を外部機器に対して送信し、当該外部機器からユーザの選択処理により当該コンテンツを要求した場合に、前記暗号化コンテンツと対応する復号鍵を当該外部機器に送信することが好ましい。
異なる仕組みを有する著作権管理システムを利用するネットワークにおいても、当該機器からしかコンテンツを視聴出来ないように構成することにより、コンテンツを視聴可能な機器を制限することが可能となる。
【００２３】
前記ネットワーク暗号化部は、ユーザによってパスワードが設定されたコンテンツを、接続されている外部機器に適合する暗号鍵で暗号化しておき、前記外部機器からコンテンツリストを要求され、前記コンテンツに適合する前記パスワードを受け取った場合にのみコンテンツのリスト情報に前記暗号化コンテンツと対応する復号鍵を前記外部機器に送信することが好ましい。
【００２４】
例えば、ユーザ操作によりコンテンツを視聴するためのパスワードを設定する等の作業をし、そのユーザのみが視聴可能な状態にしておくことで、コンテンツとユーザとを紐付ける。
【００２５】
ユーザが正しいパスワードを入力した前記外部機器からしかコンテンツを視聴出来ないように構成することにより、コンテンツを視聴可能なユーザを制限する事が可能となる。
【００２６】
また、同一コンテンツを、コンテンツの利用実績をカウントし、累積された利用実績の高い外部機器を特定する手段により、もしくはユーザが録画時に指定して選択された外部機器の暗号鍵で一旦暗号化した後に、前記暗号化部が利用されていない期間に、別の外部機器の暗号鍵で暗号化した暗号化コンテンツを作成し、複数の暗号鍵で暗号化された同一コンテンツを前記暗号化コンテンツ記録部に複数保存しておくようにしても良い。
【００２７】
これにより、外部機器の暗号化をシリーズに実行することで、効率良く暗号化を行うことができる。また、複数の外部機器に異なるコンテンツを同時配信するコンテンツ記録装置が実現可能となる。
【００２８】
また、前記複数出力制御部は、前記ネットワーク送受信部を介してネットワークの負荷を検出するネットワーク管理部を有しており、該ネットワーク管理部からのネットワーク負荷情報に基づいて、前記外部機器内及びネットワーク上の負荷を管理することが好ましい。これにより、前記外部機器間のスムーズなコンテンツの送信を可能にするトランザクションマネジメントを行い、ネットワークの負荷状況に応じてコンテンツの出力制御を管理することで、複数の外部機器への異なるコンテンツのスムーズな同時配信に対応することができる。
【００２９】
また、前記複数出力制御部は、ネットワーク経由で接続されている前記外部機器の機器リストを有する外部機器判別部からの情報に基づいて、外部機器へのコンテンツの送信の可否を判定することが好ましい。さらに、前記暗号化コンテンツ記録部のコンテンツを内部で再生するか、外部機器へ送信することが好ましい。
【００３０】
前記暗号化コンテンツ記録部に記録されているコンテンツを、ある時間が経過すると、再度、別の暗号鍵を生成し暗号化をやり直す再暗号化機能を有するようにしても良い。コンテンツが常に同一の暗号化をされた状態で、かつ復号鍵も同一であると、暗号化を破られる可能性が無いとは言えない。そこで、ある一定の時間が経ったら再度別の鍵を生成して暗号化をやり直す機能があっても良い。再暗号化を行なう場合には、外部から当該コンテンツが利用中ではなく、外部から入力中のコンテンツを暗号化もしくは復号化している場合でなく、機器の負荷が低いというタイミングで実施するように構成しても良い。コンテンツを一度に再暗号化するのではなく、一定のタイミングで少しずつ部分的に再暗号化するように構成しても良い。
【００３１】
本発明の他の観点によれば、コンテンツを取得するコンテンツ取得部と、取得した前記コンテンツを記録するコンテンツ記録部と、該コンテンツ記録部に記録されているコンテンツをネットワーク経由で複数の外部機器に送信するネットワーク送受信部と、を有するコンテンツ記録装置において、前記コンテンツを暗号化する暗号化部を前記コンテンツ取得部と前記コンテンツ記録部との間に設けることにより前記コンテンツ記録部に暗号化された暗号化コンテンツを記録するとともに、機器全体の情報を集中管理する統合制御部と、複数の出力の制御を行う複数出力制御部と、を有し、前記統合管理部は、各制御部から自機器及びネットワーク上の負荷情報を受け取り、該負荷情報に応じて外部へコンテンツを出力可能かどうかを判断する機能を有しており、該判断に基づいて、前記複数出力制御部に、コンテンツの出力の可否を指示することを特徴とするコンテンツ記録装置が提供される。統合制御部が、該コンテンツ記録装置にネットワーク接続された複数の外部機器のいずれかからコンテンツを要求された場合に、自機器の負荷情報として、例えば外部入力中か内部再生中かに関する情報を受け取り、機器内部の負荷に応じてコンテンツを外部に出力することが可能か否かを判断し、コンテンツの外部機器への出力の可否を複数出力制御部に指示する。この指示に基づいて、複数出力制御部が、コンテンツを出力し又は出力しない。すなわち、上記の統合制御部を備えていない装置では、複数出力制御部に機器内部及びネットワーク上の負荷を判断する機能を持たせている。これに対して、別途、機器全体の情報を集中管理する統合制御部で機器内部及びネットワーク上の負荷を判断し、状態に応じて出力するか否かを複数出力制御部に指示する。
【００３２】
ネットワーク用暗号化部をコンテンツ記録部に記録する前段に設けたことと、ホームネットワークに接続された外部機器からコンテンツを要求された場合、外部機器認証部が要求した機器の機器認証を実施した後、予めネットワーク暗号化されたコンテンツとその復号鍵を出力し、複数出力制御部により各機器への出力制御を行なうことで、複数の外部機器に異なるコンテンツを同時配信するコンテンツ記録装置が実現可能となり、かつ、複数同時出力を制御することができる。
【発明の効果】
【００３３】
本発明によれば、放送を録画すると同時にホームネットワークに接続された複数の外部機器にコンテンツを同時配信可能なコンテンツサーバーにもなる録画機器において、複数の外部機器に対してコンテンツ記録部からのコンテンツ送受信時にコンテンツの暗号化・復号化が不要になる。また、ネットワーク暗号化部及び復号化部を出力対象とする外部機器数分だけ備える必要が無くなり、部品点数を削減することができ、機器のコストダウンと簡素化が可能となる。
【００３４】
さらに、機器毎に暗号鍵・複号鍵が異なるネットワークにおいて、暗号化コンテンツを視聴する機器を制限したり、ユーザを制限したりする事により、コンテンツの視聴対象者をユーザが使用する機器や年齢、ユーザ指定で管理することができるようになる。
【図面の簡単な説明】
【００３５】
【図１】本発明の第１の実施の形態によるコンテンツ記録装置の一構成例を示す機能ブロック図である。
【図２Ａ】コンテンツの内部録画時の処理の流れを示すフローチャート図である。
【図２Ｂ】録画時にネットワーク暗号化を行って、対象機器の情報を保存する処理の流れを示すフローチャート図である。
【図３】内部でのコンテンツ再生時の処理の流れを示すフローチャート図である。
【図４】コンテンツの外部機器への出力時の処理の流れを示すフローチャート図である。
【図５】再暗号化時の処理の流れを示すフローチャート図である。
【図６】図６（ａ）は、本実施の形態による外部機器の機器リストの一例を示す図であり、図６（ｂ）は、本実施の形態による機器認証結果を有する外部機器の機器リストの一例を示す図である。
【図７】本発明の第２の実施の形態によるコンテンツ記録装置の一構成例を示す機能ブロック図である。
【図８】現在実用化されているネットワーク上で送受信される暗号化コンテンツを扱うハードディスクレコーダの一構成例を示す機能ブロック図である。
【図９】本発明の第３から第５までの実施の形態による接続対象の外部機器からのコンテンツ要求時の処理の流れを示すフローチャート図であり、第１の実施の形態の図４に対応する図である。
【図１０】異なる暗号鍵に対応する暗号化コンテンツ作成時の処理の流れを示すフローチャート図である。
【図１１】図１の暗号化コンテンツ情報管理部３１の管理情報の一例を示す図である。
【図１２】図１のコンテンツ復号鍵管理部３７ａにおける管理情報の一構成例を示す図である。
【図１３】特許文献１に記載の映像番組視聴装置の構成例を示す図である。
【発明を実施するための形態】
【００３６】
本明細書において、「コンテンツリスト」とは、コンテンツ記録部に保存されているコンテンツをリスト化したものであり、コンテンツ名、記録日時、どのチャンネルで放送されたか、どの録画フォーマットで記録されたか、等の情報を持つものである。あくまでもコンテンツと紐付けられる情報であって、コンテンツそのものではない。
【００３７】
以下に本発明の実施の形態によるコンテンツ記録装置について図面を参照しながら説明を行う。図１は、本発明の第１の実施の形態によるコンテンツ記録装置の一構成例を示す機能ブロック図である。図１に示すコンテンツ記録装置Ａは、アンテナ１と、チューナー３と、放送番組の暗号を復号する放送暗号復号化部５と、ＭＰＥＧ−２のトランスポートストリームを一旦解除するパーシャル化部７と、ネットワーク暗号化部１１ａとネットワーク復号化部１１ｂとを有するネットワーク暗号・復号化部１１と、再生出力部１５と、再生出力を表示する表示装置１７（外付けでも良い）と、前段階で暗号化されたコンテンツを記録する暗号化コンテンツ記録部４１と、を有している。さらに、内部における処理を行うための、内部録画設定部２１と、内部録画制御部２３と、内部再生制御部２５と、内部再生設定部２７と、を有している。ネットワーク暗号化部１１ａで暗号化された番組は、内部録画制御部２３を介して暗号化コンテンツ記録部４１（ＨＤＤ）に記録される。記録された暗号化コンテンツは、暗号化コンテンツ情報管理部３１において管理される。
【００３８】
ネットワーク暗号・復号化部１１で暗号化されたコンテンツを復号するためのコンテンツ復号鍵は、コンテンツ復号鍵保存部３７ｂに保存され、コンテンツ復号鍵管理部３７ａで管理される。
【００３９】
コンテンツを記録する暗号化コンテンツ記録部４１よりもネットワーク暗号化部１１ａを前段に設けたことと、外部機器認証部５５ｂがネットワークに接続された外部機器６１毎の機器認証を実施し、機器間で使用する事を予め決めた共通鍵を用い、あるいは、公開鍵と秘密鍵とを使って生成された暗号鍵を用いてコンテンツの暗号化を行なう手段を設ける。チューナーで受信したコンテンツを、ネットワーク暗号化した状態で暗号化コンテンツ記録部４１に記録し、この暗号化コンテンツと紐付けられた複号鍵はコンテンツ複号鍵保存部３７ｂに保存する。
【００４０】
リモコン装置などのユーザ入力装置３５によるユーザ操作は、ユーザ操作入力受信部３３において受信され内部再生設定部２７に送られるとともに、外部入力設定部４３にも送られる。外部機器の制御に関して、外部出力設定部５１と、外部出力制御部４７と、外部入力制御部４５と、外部入力設定部４３と、が設けられており、外部出力制御部４７は、暗号化コンテンツ記録部４１から出力される暗号化コンテンツを取得してネットワーク送受信部５３に送る。ネットワーク送受信部５３に送られた既に暗号化されているコンテンツは、ネットワーク経由で外部機器６１−１〜６１−ｎまでに同時配信することができる。ここで、複数出力制御部５７を新たに設けることにより、外部出力設定部５１を介して外部出力制御部４７により外部出力を制御することができる。
【００４１】
さらに、本実施の形態によるコンテンツ記録装置の特徴として、外部機器制御部５５と、複数出力制御部５７と、を備えている。複数出力制御部５７は、ネットワーク送受信部５３を介して外部機器制御部５５が取得した外部機器に関する機器リスト・認証リストなどに基づいて、複数の外部機器からの異なるコンテンツの同時配信に対応する構成となっている。外部機器制御部５５は、外部機器の判別を行う外部機器判別部５５ａと、外部機器の認証を行う外部機器認証部５５ｂとを有している。
【００４２】
外部機器認証部５５ｂで管理するリストに登録されている、ネットワークに接続されている認証済みの外部機器６１からコンテンツを要求された場合、複数出力制御部５７が外部機器６１内部の各制御部から得られた動作負荷情報とネットワーク送受信部５３から得られた機器外部のネットワーク負荷状況とに基づいて、各外部機器６１への複数コンテンツを同時に出力する制御を行う。ここで、ネットワーク暗号化済みのコンテンツと、対応する復号鍵(この場合、容易に解析できないように暗号化されていることが前提となる。)とを、コンテンツを要求した外部機器に出力する。これにより、コンテンツ出力時に暗号化処理を行なう必要がなく、予め暗号化コンテンツ記録部４１に保存された暗号化コンテンツを複数の外部機器６１に対して異なるコンテンツを同時配信することができる。
【００４３】
複数出力制御部５７は、複数の外部機器６１−ｎからの同時コンテンツ送信要求に対応するために、外部機器判別部５５ａからの判別に基づいて機器リストを取得する。この機器リストは、取得された外部機器のリスト情報のみでも良いし、外部機器認証部５５ｂから提供される認証情報に基づいて認証された外部機器のリスト情報であればなお良い。さらに、複数出力制御部５７は、ネットワーク送受信部５３を介してネットワークの負荷を検出するネットワーク管理部（図示せず）を有しており、このネットワーク管理部からのネットワーク負荷情報に基づいて、機器内部及びネットワーク上の負荷を管理し、外部機器とのスムーズなコンテンツの送信を可能にするトランザクションマネジメントを行なう。これにより、ネットワークの負荷状況に応じてコンテンツの出力制御を管理することで、複数の外部機器への異なるコンテンツの同時配信に対応することができる。
【００４４】
さらに、コンテンツ毎に異なるコンテンツ復号鍵を保存するコンテンツ復号鍵保存部３７ｂに保存されているコンテンツ復号鍵を管理するコンテンツ復号鍵管理部３７ａが、複数出力制御部５７の指示により外部出力設定部５１で設定された情報を受けて、該当するコンテンツの復号に必要なコンテンツ復号鍵をコンテンツ復号鍵管理部３７ａに対して要求し、コンテンツ復号鍵管理部３７ａは要求されたコンテンツの復号鍵をコンテンツ復号鍵管理部３７ｂから取得して外部出力制御部４７に送る。この際、外部入力設定部４３から入力された、どの外部機器からどのコンテンツを視聴したいかに関する情報を、外部入力制御部４５を介して暗号化コンテンツ記録部４１に送る。この情報に基づいて、暗号化コンテンツ記録部４１は、暗号化コンテンツ情報管理部３１と連絡して、要求された暗号化コンテンツを外部出力制御部４７に送る。このようにして、外部出力制御部４７に送られた暗号化コンテンツとコンテンツ復号鍵との組が、ネットワーク送受信部５３を介して該当する外部機器に送られる。また、ユーザ入力装置３５からユーザ操作入力受信部３３を介して外部入力設定部４３に送られた場合においても、どのコンテンツをどの外部機器に送るかに関する指示に基づいて上記の処理がなされる。
【００４５】
一方、コンテンツ記録装置Ａの内部で行われるコンテンツ再生処理等に関しては、ユーザ入力装置３５からユーザ操作入力受信部３３を介して内部再生設定部２７に送られた、どのコンテンツを再生・早送り等するかに関する指示に基づいて、内部再生制御部２５が、暗号化コンテンツ記録部４１からコンテンツを取得し、これをネットワーク復号化部１１ｂに送って再生出力部１５から表示装置１７に対して復号化されたコンテンツを送り、表示装置１７において、コンテンツを表示させる。
【００４６】
このように、本実施の形態によるコンテンツ記録装置は、取得したコンテンツを予め暗号化した後にコンテンツを暗号化コンテンツ記録部に記録しておく。すなわち、暗号化コンテンツ記録部４１に放送やネットワークで配信されたコンテンツを記録する前に、ホームネットワークで用いられる暗号化を予め行なって、復号鍵と共に保存しておく。これにより、表示装置１７に表示させることができる。さらに、外部機器からネットワーク経由で要求されたコンテンツを当該外部機器に対して送信し、視聴等を行わせることができる。ここで、複数の機器からの同時送信要求に対応するために、ネットワークの負荷状況や外部機器のリストなどに基づいて、外部機器情報を取得して管理し、機器内及びネットワーク上の負荷を管理し、機器間のスムーズなコンテンツの送信を可能にするトランザクションマネジメントを行う複数出力制御部を設けることで、ネットワークの負荷上昇によるコンテンツデータの欠落等が生じる事無く、異なるコンテンツを同時配信することが可能になる。この際、暗号化されたコンテンツとこれを復号させる復号鍵と暗号化コンテンツとを組にして外部機器宛てにネットワーク経由で送信することにより、外部機器においてコンテンツを容易に再生等することができる。このような構成とすることにより、ネットワーク暗号化部の数はチューナーやネットワークから同時にコンテンツを幾つ取得するかという自機器側の事情により決めることが出来るようになる。
【００４７】
尚、図１に示す各機能部は、専用のＬＳＩを用いて実現しても良いし、高性能なＭＣＵ(マイクロコントロールユニット(プロセッサ))上で実行されるプログラムによって実行するようにしても良い。
【００４８】
また、コンテンツが常に同一の暗号化された状態で復号鍵も同一であると、暗号化を破られる可能性が無いとは言えない。そこで、ある一定の時間が経ったら再度別の鍵を生成して暗号化をやり直す機能があっても良い。再暗号化を行なう場合には、外部から当該コンテンツが利用中ではなく、外部からのコンテンツを暗号化している場合でなく、機器の負荷が低いというタイミングで実施するように構成しても良い。コンテンツを一度に再暗号化するのではなく、一定のタイミングで少しずつ部分的に再暗号化するように構成しても良い。
【００４９】
図６（ａ）は、本実施の形態による外部機器の機器リストの一例を示す図である。外部機器の機器リストは、例えば、外部機器のＩＤ（１から５）と、機器名と、ＴＶ、レコーダ、ＰＣなどの機器種別と、クライアントであるかサーバであるかあるいは両方の機能を有するか等のコンテンツ能力と、を有している。この外部機器の機器リストは、外部機器認証部５５ｂに記憶されている。また、図６（ｂ）に示すように、リストに外部機器毎の認証結果を含めても良い。
【００５０】
次に、上記構成に関する処理の流れについて説明する。まず、コンテンツの内部録画時の処理の流れについて図２Ａを参照しながら説明を行う。まず、ステップＳ１において処理を開始し、ステップＳ２においてチューナー３において選局を行い、ステップＳ３において、放送暗号復号化部５で放送時にかけられている暗号の復号化を行い、ステップＳ４においてパーシャル化部７においてパーシャル化を行い、コンテンツデータから必要な情報を取得する。ステップＳ５において、ネットワーク暗号化部１１ａにおいて当該機器が接続されているネットワークに対応したネットワーク暗号化を行い、ステップＳ６で暗号化コンテンツを暗号化コンテンツ記録部４１に保存するとともに、ステップＳ７においてコンテンツ暗号鍵をコンテンツ復号鍵保存部３７ｂに保存する。これにより、ネットワーク暗号化されたコンテンツと、これを復号化するコンテンツ復号鍵とを、作成し、保存することができる。
【００５１】
図３は、内部でのコンテンツ再生時の処理の流れを示すフローチャート図である。図３に示すように、ステップＳ１１において、処理を開始し、ステップＳ１２において、再生する暗号化コンテンツが選択されると、ステップＳ１３において暗号化コンテンツの再生処理に進み、ステップＳ１４において、コンテンツ復号鍵保存部３７ｂに保存された復号鍵を用いて暗号化コンテンツの復号化を行い、ステップＳ１５において、再生コンテンツの出力制御を行ってステップＳ１６において再生コンテンツ表示出力を行う。これにより、コンテンツ記録装置の内部に記録されている暗号化コンテンツを再生することができる。ステップＳ１７で処理を終了する。
【００５２】
次に、本発明の実施の形態によるコンテンツ再生技術の特徴である、コンテンツの外部機器への出力時の処理の流れについて図面を参照しながら説明を行う。図４に示すように、ステップＳ２１において、処理を開始する。まず、ステップＳ２２において、暗号化コンテンツの外部出力が要求されると、ステップＳ２３において、外部機器リストを参照して、コンテンツを要求した外部機器がコンテンツを出力して良い機器かどうか認証を行う。機器認証の結果がエラーとなった場合には（ＮＧ）、コンテンツ送信の対象外であるため、コンテンツの送信を行わずに処理を終了する（ステップＳ２４）。機器認証の結果が成功した場合には（ＯＫ）、コンテンツ送信の対象であるため、ステップＳ２５に進み、同時に複数の出力の要求であるか否かを判定する。
【００５３】
ここで、現在の機器の状態が複数同時出力でなければ、すなわち１つのコンテンツのみの出力要求であれば（ＮＯ）、ステップＳ２６に進み、コンテンツの復号鍵を送信し、ステップＳ２７において暗号化コンテンツをコンテンツ復号鍵で復号して暗号化コンテンツを再生し、ステップＳ２８においてコンテンツの再生が終了するとステップＳ２４に進み処理を終了する。
【００５４】
ステップＳ２５で、現在、外部機器に対してコンテンツを出力中であり、異なるコンテンツの追加の出力要求である場合には（ＹＥＳ）、ステップＳ２９において、コンテンツの同時複数出力が可能な内部状態か否かを判定する。暗号化コンテンツ記録部へのアクセス負荷等の観点から出力がＮＧの場合には（出力不可の場合には）、ステップＳ３０において、内部状態（暗号化コンテンツ記録部への負荷）の改善を待ち、改善しなければステップＳ３１において出力不可である事を、コンテンツを要求した外部機器に通知して処理を終了する（ステップＳ２４）。内部状態の負荷は、主に暗号化コンテンツ記録部や内部データバス、各制御部の負荷状態を元に判断する。ステップＳ２９でＯＫの場合にはステップＳ３２に進み、ネットワーク負荷状況を判定する。そのために、ネットワーク送受信部からそれぞれデータ転送に関する負荷情報を取得し、新たにコンテンツの出力がネットワークの負荷という観点からみて可能であるか否かを複数出力制御部において判定する。判定がＮＧの場合には、ステップＳ３３に進みネットワーク負荷状況の改善を待ち、改善しなければステップＳ３４に進み、コンテンツを要求した外部機器に出力不可通知を行って処理を終了する（ステップＳ２４）。ネットワーク負荷状況がＯＫの場合には、ステップＳ３５に進み、コンテンツの復号鍵を外部機器に送信し、ステップＳ３６で暗号化コンテンツを外部機器に送信して、コンテンツの復号鍵で復号してコンテンツを再生する。ステップＳ３７でコンテンツの再生が終了すると処理も終了する（ステップＳ２４）。このようにすることにより、コンテンツの複数同時送信を可能にすることができる。
【００５５】
図５は、再暗号化時の処理の流れを示すフローチャート図である。コンテンツが常に同一の暗号化された状態で復号鍵も同一であると、暗号化を破られる可能性が無いとは言えない。そこで、ある一定期間が経過すると、再度別の鍵を生成して暗号化をやり直す機能があっても良い。再暗号化を行なう場合には、外部から当該コンテンツが利用中ではなく、外部からのコンテンツを暗号化もしくは復号化している場合でなく、機器の負荷が低いタイミングで実施するように構成しても良いし、コンテンツを一度に再暗号化するのではなく一定のタイミングで少しずつ部分的に実行するように構成しても良い。
【００５６】
まず、ステップＳ４１において処理を開始し（スタート）、ステップＳ４２において、暗号化コンテンツ記録時刻を調査する。次いで、ステップＳ４３において、一定期間が経過したか否かを判定する。一定期間が経過していなければ（ＮＯ）、再暗号化は行わない（ステップＳ４８：終了）。一定期間経過した場合には（ＹＥＳ）、ステップＳ４４に進み、暗号化コンテンツを復号化する。次いで、ステップＳ４５に進み、暗号化鍵を新しく作成し、ステップＳ４６で新たな暗号鍵でコンテンツの再暗号化を行う。次いで、暗号化コンテンツを復号する復号鍵をコンテンツと関連付けて保存し（ステップＳ４７）、処理を終了する（ステップＳ４８）。
【００５７】
このように構成することで、特に複数の外部機器からコンテンツの送信を要求される場合においても、暗号化されたコンテンツを安全に配信することができる。
【００５８】
次に、本発明の第２の実施の形態によるコンテンツ記録装置について図面を参照しながら説明を行う。図７は、本実施の形態によるコンテンツ記録装置Ｂの一構成例を示す機能ブロック図である。図１と異なる構成としては、統合制御部７１が設けられている点である。統合制御部７１は、各制御部を統合的に制御し、一元的に管理しているモジュールである。この統合制御部７１から、機器全体の及びネットワーク上の負荷と、外部入力中か内部再生中かに関する情報を受け取って、出力可能かどうかを判断する。この場合には、複数出力制御部５７は、統合制御部７１から、暗号化コンテンツ記録部等の機器各部及びネットワーク上の負荷と、外部入力中か内部再生中か否かの情報を受け取って、外部出力設定部５１にコンテンツの外部機器への出力の可否を伝える仲介機能のみを行う機能部となる。処理の内容としては、第１の実施の形態とほぼ同様である。第１の実施の形態と第２の実施の形態とのいずれを選択するかは、例えば、ＣＰＵの能力が高く、統合制御部において一元管理することが簡単であれば第２の実施の形態を選択し、各機能部の負荷を分散させたい場合には第１の実施の形態の構成を選択するのが好ましい。
【００５９】
次に、本発明の第３の実施の形態によるコンテンツ記録装置について図面を参照しながら説明を行う。本実施の形態の形態によるコンテンツ記録装置は、機器毎に暗号鍵・複号鍵が異なる仕組みを有する著作権管理システムを利用するものである。
【００６０】
このように、コンテンツを、外部機器６１―ｎからのコンテンツ利用実績をカウントして蓄積し、例えば、最も利用頻度の高い外部機器を外部機器判別部５５ａにより特定し、或いは、録画時にユーザがどの外部機器で録画するコンテンツを視聴するかを指定させるユーザ入力装置３５により選択された外部機器のみに適合する暗号鍵で暗号化しておく。そして、当該機器からコンテンツリストを要求された場合のみ、コンテンツリスト情報に上記の暗号化コンテンツ情報を挿入しておく。これにより、当該機器からのみしか、コンテンツを選択出来ないように構成することができる。また、仮にコンテンツが選択出来たとしても、外部機器に対応する複号鍵が無い場合には、コンテンツを視聴出来ない。このような構成により、コンテンツを視聴可能な機器を制限することが可能となる。
【００６１】
図１１は、図１に示す暗号化コンテンツ情報管理部３１の管理情報の一例を示すデータ構成図である。図１１に示される管理情報の例では、コンテンツ１から５までに関して、暗号化区分（全ての機器、個別など）と、出力対象（全外部機器、外部機器１、２など）と、暗号化のステータス（完了、外部機器ｎが暗号化中など）とが管理されている。このように暗号化コンテンツ管理部３１で暗号化コンテンツ情報を管理することで、コンテンツを視聴可能な機器を制限することができる。
【００６２】
図１２は、図１のコンテンツ復号鍵管理部３７ａにおける管理情報の一構成例を示す図である。図１２に示すように、コンテンツ復号鍵管理情報は、例えばコンテンツ１〜５までについて、外部機器１から５まで、及び自機器再生用の復号鍵が格納されている。外部機器によっては、あるコンテンツの復号鍵が格納されていないケースがあることが示されている。また、コンテンツに対して、暗号化処理中であるか、又は未暗号化であるかの情報が示されるケースもある。同じコンテンツであっても、外部機器毎に異なる復号鍵が格納されている。尚、図１２では、外部機器において、異なるコンテンツであっても同じ復号鍵が管理されている例を示したが、コンテンツ毎に異なる管理情報（復号鍵）を有していても良い。
【００６３】
図２Ｂは、本実施の形態による、録画時にネットワーク暗号化を行って対象機器の情報を保存する処理の流れを示すフローチャート図である。図２Ａに示すフローチャート図と異なる点は、ステップＳ８’として、コンテンツ出力対象情報を保存する。このコンテンツ出力対象情報は、利用頻度の高い外部機器又は入力装置３５（図１）から指定された外部機器の情報であり、この情報を保存する。
【００６４】
図６（ｂ）では、外部機器毎に、機種名と、種別と、コンテンツ能力と、機器認証の処理済みか否かと、鍵情報を取得済みか未取得かの情報と、暗号鍵情報とを示している。外部機器から、必要な鍵を取得しているか否かに関する情報と、暗号鍵の情報とを保持している。
【００６５】
また、図９は、本実施の形態による接続対象の外部機器からのコンテンツ要求時の処理の流れを示すフローチャート図であり、第１の実施の形態の図４に対応する図である。図４と異なる点は、ステップＳ２３’において、ステップＳ２２における暗号化コンテンツ出力要求が出力対象機器からの要求であるかの判断を行う。出力対象機器からの要求であれば（ＹＥＳ）、ステップＳ２３で同時複数出力か否かを判定し、以降は、図４と同様の処理になる。
【００６６】
図１０は、異なる暗号鍵に対応する暗号化コンテンツ作成時の処理の流れを示すフローチャート図である。全ての外部機器において暗号化する処理である。図１０に示すように、まずステップＳ１０１で処理を開始し、ステップＳ１０２において、暗号化コンテンツの暗号化状態を調査する。ステップＳ１０３において、全ての機器に対応したか否かを判定する。ＹＥＳの場合には、ステップＳ１０８に進み処理を終了する。ＮＯの場合には、ステップＳ１０４に進み、暗号化コンテンツを復号化する。次いで、ステップＳ１０５に進み、暗号化鍵を新しく作成し、ステップＳ１０６で新たな暗号鍵でコンテンツの再暗号化を行う。次いで、暗号化コンテンツを復号する復号鍵をコンテンツと紐付けて保存し（ステップ１０７）、処理を終了する（ステップＳ１０８）。
【００６７】
このように構成することで、特に複数の外部機器からコンテンツの送信を要求される場合においても、暗号化されたコンテンツを安全に配信することができる。
【００６８】
次に、本発明の第４の実施の形態によるコンテンツ記録装置について図面を参照しながら説明を行う。本実施の形態の形態によるコンテンツ記録装置は、機器毎に暗号鍵・複号鍵が異なる仕組みを有する著作権管理システムを利用するものである。
【００６９】
本実施の形態では、コンテンツを、ユーザ操作により、例えばコンテンツを視聴するためのパスワードを設定する等の処理を行うことで、特定のユーザのみが視聴可能な状態にしておく。そして、ネットワークに接続された外部機器（例えば６１ａ）に適合する暗号鍵で暗号化しておく。そして、当該外部機器６１ａからコンテンツリストを要求され、コンテンツを視聴するユーザに適合するパスワードを受け取った場合のみコンテンツのリスト情報に暗号化コンテンツ情報を挿入し、当該外部機器６１ａからしかコンテンツを選択出来ないように構成する。ユーザが正しいパスワードを入力した前記外部機器からしかコンテンツを視聴出来ないように構成することにより、コンテンツを視聴可能なユーザをコンテンツに基づいて制限することが可能となる。図２ＢにおけるステップＳ８’のコンテンツ出力対象情報保存処理は、本実施の形態においては、このコンテンツ出力対象情報は、コンテンツを視聴するユーザに適合するパスワードを受け取った場合のみコンテンツリスト情報に暗号化コンテンツ情報を挿入し、当該機器からしかコンテンツを視聴出来ないように構成する場合におけるパスワードを保存する処理であり、換言すれば、このパスワードが、コンテンツ出力対象機器を特定していることになる。
【００７０】
尚、図６（ｂ）、図９から図１２までにおいて上記でした説明を援用して本実施の形態も説明することができる。
【００７１】
次に、本発明の第５の実施の形態によるコンテンツ記録装置について図面を参照しながら説明を行う。本実施の形態の形態によるコンテンツ記録装置は、機器毎に暗号鍵・複号鍵が異なる仕組みを有する著作権管理システムを利用するものである。尚、図６（ｂ）、図９から図１２までにおいて上記でした説明を援用して本実施の形態も説明することができる。
【００７２】
本実施の形態では、同一コンテンツを、コンテンツ利用実績をカウントしてカウント数を蓄積し、例えば利用頻度が最も高い外部機器を特定する手段により、もしくはユーザが録画時に指定して選択された外部機器の暗号鍵で一旦暗号化する。その後に、ネットワーク暗号化部１１ａが利用されていない時に、別の機器の暗号鍵で暗号化した暗号化コンテンツを作成し、複数の暗号鍵で暗号化された同一コンテンツを暗号化コンテンツ記録部に複数保存しておく。これにより、暗号化処理をシリーズに行わせ、ネットワーク暗号化部１１ａの有効かつ効率的な利用が可能となる。また、複数の外部機器に異なるコンテンツを同時配信するコンテンツ記録装置を実現することが可能となる。
【産業上の利用可能性】
【００７３】
本発明は、コンテンツ記録装置に利用可能である。
【符号の説明】
【００７４】
Ａ…コンテンツ記録装置、１…アンテナ、３…チューナー、５…放送暗号復号化部、７…パーシャル化部、１１…ネットワーク暗号・復号化部、１１ａ…ネットワーク暗号化部、１１ｂ…ネットワーク復号化部、１５…再生出力部、４１…暗号化コンテンツ記録部、２１…内部録画設定部、２３…内部録画制御部、２５…内部再生制御部、２７…再生設定部、３１…暗号化コンテンツ情報管理部、５７…複数出力制御部、７１…統合制御部。
【図１】
0005149233.tif 000002
【図２Ａ】
0005149233.tif 000003
【図２Ｂ】
0005149233.tif 000004
【図３】
0005149233.tif 000005
【図４】
0005149233.tif 000006
【図５】
0005149233.tif 000007
【図６】
0005149233.tif 000008
【図７】
0005149233.tif 000009
【図８】
0005149233.tif 000010
【図９】
0005149233.tif 000011
【図１０】
0005149233.tif 000012
【図１１】
0005149233.tif 000013
【図１２】
0005149233.tif 000014
【図１３】
0005149233.tif 000015